(57)【要約】【課題】ダクトの外部に設けた送風機による噴流ノズルによって誘引する給気作用により換気するようにし、掃除性を向上した換気扇を提供する。【解決手段】電動機１によって駆動されるファン２と、空気を吸引する吸込口３を設けた本体４を有し、前記本体４には、内部に噴流ノズル５と、前記噴流ノズルを囲むガイド６を有し、前記噴流ノズル５の噴流による誘引効果により粉塵を含む空気を前記吸込口３から吸い込み、前記ファン２の吹き出し空気は前記噴流ノズル５から噴流するようにした構成としたものであり、粉塵を含んだ空気はファン２には接触しないので、ファン２に粉塵が付着することもなく、掃除性が良くなる。【選択図】図１
2007032927.tif 000002
【特許請求の範囲】
【請求項１】
電動機によって駆動されるファンと空気を吸引する吸込口と空気を吐出する吐出口を備え、前記ファンを通過させることなく前記吸込口から前記吐出口へ塵埃を含んだ空気を排気するようにしたことを特徴とした換気扇。
【請求項２】
電動機によって駆動されるファンと空気を吸引する吸込口と空気を吐出する吐出口と空気を噴流する噴流ノズルと前記噴流ノズルを囲むガイドを備え、前記ファンの吹き出し空気を前記噴流ノズルから噴流するようにし、前記噴流ノズルの噴流による誘引効果により空気を前記吸込口から吸い込み前記吐出口に空気を排気するようにした換気扇。
【請求項３】
空気を吹き出す吐出口を備え、噴流ノズルを直列に複数設置し、吸込口も複数個有し、前記吐出口は１個有する請求項１あるいは２記載の換気扇。
【請求項４】
噴流ノズルを直列に複数設置し、吸込口を１個、吐出口も１個有する請求項１〜３いずれか記載の換気扇。
【請求項５】
噴流ノズルは１個で、吸込口を並列に複数設置した請求項１あるいは２記載の換気扇。
【請求項６】
内部に噴流ノズルを有したダクトを備え、前記ダクトの内壁面下部に塵回収箱を設置した請求項１〜５いずれか記載の換気扇。
【請求項７】
噴流ノズルに送風するファンを、屋外に設置した請求項１〜６いずれか記載の換気扇。
【発明の詳細な説明】
【技術分野】
【０００１】
本発明は、台所などに使用される換気扇に関するものである。
【背景技術】
【０００２】
従来、この種の換気扇は家庭や事務所で使用されているものがあった（例えば特許文献１参照）。
【０００３】
以下、この種の換気扇について、図７を参照しながら説明する。
【０００４】
図に示すように、本体１０１に、円筒ダクト１０２とファン１０３と本体１０１の吸込口１０４と吐出口１０５が、設置されている形状となっている。
【０００５】
上記構成により、ファン１０３が回転すると、吸込口１０４より空気が流入し吐出口１０５に出るが、このときファン１０３には、塵が付き、掃除性は困難で、性能低下や騒音上昇の原因にもなる。
【特許文献１】特開平８−９４１４６号公報
【発明の開示】
【発明が解決しようとする課題】
【０００６】
このような従来の換気扇では、羽根車に塵が付着し、掃除が困難でありとともに、性能低下や騒音上昇の原因にもなるという課題があり、羽根車に塵の付着しない掃除性の良い換気扇とすることが要求されている。
【０００７】
本発明は、このような従来の課題を解決するものであり、ダクトの外部に設けた送風機による噴流ノズルによって誘引する給気作用により換気するようにし、掃除性を向上した換気扇を提供することを目的としている。
【課題を解決するための手段】
【０００８】
本発明の換気扇は、上記目的を達成するために、電動機によって駆動されるファンと空気を吸引する吸込口と空気を吐出する吐出口を備え、前記ファンを通過させることなく前記吸込口から前記吐出口へ塵埃を含んだ空気を排気するようにしたものである。
【０００９】
本発明によれば、粉塵を含む空気はファンを通らないので、ファンに粉塵が付着することなく、課題となっている掃除性が向上した換気扇が得られる。
【００１０】
また、他の手段は、電動機によって駆動されるファンと空気を吸引する吸込口と空気を吐出する吐出口と空気を噴流する噴流ノズルと前記噴流ノズルを囲むガイドを備え、前記ファンの吹き出し空気を前記噴流ノズルから噴流するようにし、前記噴流ノズルの噴流による誘引効果により空気を前記吸込口から吸い込み前記吐出口に空気を排気するようにしたものである。
【００１１】
本発明によれば、粉塵を含む空気はファンを通らないので、ファンに粉塵が付着することなく、課題となっている掃除性が向上した換気扇が得られる。
【００１２】
また、他の手段は、電動機によって駆動されるファンと、電動機によって駆動されるファンと、空気を吸引する吸込口を設けた本体を有し、噴流ノズルを直列に複数設置し、吸込口も複数個有し、吐出口は１個有する換気扇としたものである。
【００１３】
本発明によれば、粉塵を含む空気はファンを通らないので、ファンに粉塵が付着することなく、課題となっている掃除性が向上するとともに高圧の換気扇が得られる。
【００１４】
また、他の手段は、電動機によって駆動されるファンと、電動機によって駆動されるファンと、空気を吸引する吸込口を設けた本体を有し、噴流ノズルを直列に複数設置し、吸込口を１個、吐出口も１個有する換気扇としたものである。
【００１５】
本発明によれば、粉塵を含む空気はファンを通らないので、ファンに粉塵が付着することなく、課題となっている掃除性が向上するとともに高圧の換気扇が得られる。
【００１６】
また、他の手段は、電動機によって駆動されるファンと、空気を吸引する吸込口を設けた本体を有し、噴流ノズルは１個で、吸込口を並列に複数設置した換気扇としたものである。
【００１７】
本発明によれば、粉塵を含む空気はファンを通らないので、ファンに粉塵が付着することなく、課題となっている掃除性が向上するとともに広範囲から排気する換気扇が得られる。
【００１８】
また、他の手段は、内部に噴流ノズルを有したダクトを備え、前記ダクトの内壁面下部に塵回収箱を設置した換気扇としたものである。
【００１９】
本発明によれば、粉塵を含む空気はファンを通らないので、ファンに粉塵が付着することなく、また粉塵の回収も容易で、掃除性が向上する換気扇が得られる。
【００２０】
また、他の手段は、噴流ノズルに送風するファンを、屋外に設置した換気扇としたものである。
【００２１】
本発明によれば、粉塵を含む空気はファンを通らないので、ファンに粉塵が付着することなく、課題となっている掃除性が向上するとともに室内騒音も低い換気扇が得られる。
【発明の効果】
【００２２】
本発明によれば、粉塵を含む空気はファンを通らないので、ファンに粉塵が付着することなく、課題となっている掃除性が向上した換気扇を提供することができる。
【発明を実施するための最良の形態】
【００２３】
本願発明は、電動機によって駆動されるファンと空気を吸引する吸込口と空気を吐出する吐出口を備え、前記ファンを通過させることなく前記吸込口から前記吐出口へ塵埃を含んだ空気を排気するようにした構成であり、ファンは粉塵を含む空気とは直接触れることはないので、ファンには粉塵は入らず、掃除性を向上した換気扇を提供することができる。
【００２４】
以下に、本発明の実施の形態について、図面を参照しながら説明する。
【００２５】
（実施の形態１）
図１は本発明の実施の形態１における換気扇の断面図である。
【００２６】
図１において、電動機１によって駆動されるファン２と空気を吸引する吸込口３を設けた本体４とダクト７を有し、本体４には、内部に噴流ノズル５と、噴流ノズル５を囲むガイド６を有し、ファン２の吹き出し空気を噴流ノズル５から噴流させ、その噴流ノズル５の噴流による誘引効果により粉塵を含む空気を吸込口３から吸い込構成としたものである。
【００２７】
上記構成により、吸込口３から塵埃を含んだ空気が本体４、ダクト７内に誘引されるが、ファン２は本体４の外に設置されており、ファン２から吹き出した空気は噴流ノズル５から吹き出す。この時、噴流ノズル５を囲むように取り付けられたガイド６により、本体４、ダクト７内の空気は、より強く吸引される。
【００２８】
これにより、粉塵を含んだ空気はファン２には接触せずに吐出口８から排気され、ファン２に粉塵が付着することがなく、掃除性が良くなる。
【００２９】
（実施の形態２）
図２は本発明の実施の形態２における換気扇の断面図である。
【００３０】
なお、実施の形態１と同一部分については同一番号を付し、詳細な説明を省略する。
【００３１】
電動機１によって駆動されるファン２と空気を吸引する吸込口３を設けた本体４とダクト７を有し、噴流ノズル５とガイド６を直列に複数設置し、吸込口３も複数個有し、吐出口８は１個有する構成としたものである。噴流ノズル５を直列に設置しているので、排気空気の圧力は設置台数に応じて高圧となり、長いダクト配管や室内ルーバまたは屋外フードの圧力損失にも耐えることになる。また、吸込口３も複数個有しているので、広範囲から吸引し、排気することができる。
【００３２】
これにより、粉塵を含む排気空気の高圧化が可能となり、また、粉塵を含む排気空気はファン２を通らないので、ファン２に粉塵が付着することなく、課題となっている掃除性が向上するとともに、広範囲から排気する高圧の換気扇が得られる。
【００３３】
（実施の形態３）
図３は本発明の実施の形態３における換気扇の断面図である。
【００３４】
なお、実施の形態１または２と同一部分については同一番号を付し、詳細な説明を省略する。
【００３５】
図３に示すように、電動機１によって駆動されるファン２と、電動機１によって駆動されるファン２と、空気を吸引する吸込口３を設けた本体４と、ダクト７を有し、噴流ノズル５およびガイド６を直列に複数設置し、吸込口３を１個、吐出口８も１個有する換気扇としたものである。
【００３６】
噴流ノズル５およびガイド６は直列に設置しているので、排気空気の圧力は設置台数に応じて高圧となり、長いダクト配管や室内ルーバまたは屋外フードの圧力損失にも耐える排気が可能となる。
【００３７】
これにより、粉塵を含む排気空気の高圧化が可能となり、また、粉塵を含む排気空気はファンを通らないので、ファンに粉塵が付着することなく、課題となっている掃除性が向上するとともに高圧の換気扇が得られる。
【００３８】
（実施の形態４）
図４は本発明の実施の形態４における換気扇の断面図である。
【００３９】
なお、実施の形態１乃至３のいずれかと同一部分については同一番号を付し、詳細な説明を省略する。
【００４０】
図４に示すように、電動機１によって駆動されるファン２と空気を吸引する吸込口３を設けた本体４とダクト７を有し、噴流ノズル５およびガイド６は１個で、本体４の吸込口３を並列に複数設置した構成としたものである。前記吸込口３は複数個あるので、広範囲から吸い込むことができる。
【００４１】
本発明によれば、粉塵を含む排気空気はファン２を通らないので、ファンに粉塵が付着することなく、課題となっている掃除性が向上するとともに広範囲から排気する換気扇が得られる。
【００４２】
（実施の形態５）
図５は本発明の実施の形態５における換気扇の断面図である。
【００４３】
なお、実施の形態１乃至４のいずれかと同一部分については同一番号を付し、詳細な説明を省略する。
【００４４】
図５に示すように、電動機１によって駆動されるファン２と空気を吸引する吸込口３を設けた本体４とダクト７を有し、内部に噴流ノズル５およびガイド６を有するダクト７の内壁面９の下部には塵回収箱１０を設置した構成としたもので、粉塵の回収が容易になる。
【００４５】
本発明によれば、粉塵を含む空気はファン２を通らないので、ファン２に粉塵が付着することなく、また粉塵の回収も容易で、掃除性が向上する換気扇が得られる。
【００４６】
（実施の形態６）
図６は本発明の実施の形態６におけるレンジフードの断面図である。
【００４７】
なお、実施の形態１乃至５のいずれかと同一部分については同一番号を付し、詳細な説明を省略する。
【００４８】
図６に示すように、電動機１によって駆動されるファン２と空気を吸引する吸込口３を設けた本体４とダクト７を有し、本体４には、内部に噴流ノズル５と、噴流ノズルを囲むガイド６を有し、誘引効果により空気を吸込口３から吸い込むようにし、噴流ノズル５に送風するファン２を、屋外に設置した構成としたものである。
【００４９】
本発明によれば、粉塵を含む空気はファン２を通らないので、ファン２に粉塵が付着することなく、課題となっている掃除性が向上するとともに、ファン２は屋外にあるので、室内騒音も低い換気扇が得られる。
【産業上の利用可能性】
【００５０】
本発明のレンジフードは、粉塵を含む空気はファンを通らないので、ファンに粉塵が付着することなく、課題となっている掃除性が向上した換気扇を提供することができる。
【図面の簡単な説明】
【００５１】
【図１】本発明の実施の形態１の換気扇の側断面図
【図２】本発明の実施の形態２の換気扇の側断面図
【図３】本発明の実施の形態３の換気扇の側断面図
【図４】本発明の実施の形態４の換気扇の側断面図
【図５】本発明の実施の形態５の換気扇の側断面図
【図６】本発明の実施の形態６の換気扇の側断面図
【図７】従来の換気扇の側断面図
【符号の説明】
【００５２】
１      電動機
２      ファン
３      吸込口
４      本体
５      噴流ノズル
６      ガイド
７      ダクト
８      吐出口
９      内壁面
１０    塵回収箱
【図１】
2007032927.tif 000003
【図２】
2007032927.tif 000004
【図３】
2007032927.tif 000005
【図４】
2007032927.tif 000006
【図５】
2007032927.tif 000007
【図６】
2007032927.tif 000008
【図７】
2007032927.tif 000009